(57)【要約】【課題】撮像装置においてステップズームを用いた場合においても、違和感のない画像表示を可能とする。【解決手段】複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、被写体像を光電変換して画像信号を生成するための撮像部２と、撮像部からの画像信号を表示するための表示部６と、ズームポジションを変更した後に表示部に画像を表示させる状態であれば、撮影光学系の停止位置を第１の位置に設定し、ズームポジションを変更した後に表示部に画像を表示させない状態であれば、撮像光学系の停止位置を第１の位置とは異なる第２の位置に設定する制御部１とを具備する。【選択図】　　　図２
2004012618.tif 000002
【特許請求の範囲】
【請求項１】
複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、
前記被写体像を光電変換して画像信号を生成するための撮像手段と、
該撮像手段からの画像信号を表示するための表示手段と、
前記ズームポジションを変更した後に前記表示手段に画像を表示させる状態であれば、前記撮影光学系の停止位置を第１の位置に設定し、前記ズームポジションを変更した後に前記表示手段に画像を表示させない状態であれば、前記撮像光学系の停止位置を前記第１の位置とは異なる第２の位置に設定する制御手段とを具備することを特徴とする撮像装置。
【請求項２】
前記第１の位置はズームポジション内の撮影許可領域内の位置であり、前記第２の位置はズームポジション内の撮影許可領域近傍の撮影不許可領域内の位置であることを特徴とする請求項１に記載の撮像装置。
【請求項３】
前記第１の位置は、前記表示手段の画像表示部の大きさに対する許容錯乱円径に基づく過焦点距離に合焦する位置であることを特徴とする請求項２に記載の撮像装置。
【請求項４】
前記第２の位置は、撮影可能と設定された最短距離に合焦する光学配置近傍の撮影不許可と設定された位置、あるいは無限遠に合焦する光学配置近傍の撮影不許可と設定された位置であることを特徴とする請求項２に記載の撮像装置。
【請求項５】
ズームポジション変更後に前記表示手段に画像が表示されていない状態から、画像を表示させる操作を行った場合には、前記撮影光学系を前記第２の位置から前記第１の位置に移動させた後、前記表示手段に画像を表示させることを特徴とする請求項１に記載の撮像装置。
【請求項６】
ズームポジション変更後に前記表示手段に画像が表示されている状態から、画像を表示させない操作を行った場合には、前記表示手段を非表示状態にした後、前記撮影光学系を前記第１の位置から前記第２の位置に移動させることを特徴とする請求項１に記載の撮像装置。
【請求項７】
前記表示手段に画像を表示させた状態で撮影操作が行われた場合には、前記撮影光学系を前記第１の位置から撮影不許可領域へ移動させた後に、合焦動作を行うことを特徴とする請求項１に記載の撮像装置。
【請求項８】
前記複数のレンズ群は、一つの駆動源により移動されることを特徴とする請求項１に記載の撮像装置。
【請求項９】
複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、
前記被写体像を光電変換して画像信号を生成するための撮像手段と、
該撮像手段からの画像信号を表示するための表示手段と、
前記表示手段に画像を表示させつつズーム動作を行なう場合には、ズーム動作中は各ズームポジション内の所定の被写体距離に合焦する撮影光学系の配置で得られる画像を静止画として表示させ、各ズームポジション毎に前記静止画を切り替え表示させる制御手段とを具備することを特徴とする撮像装置。
【請求項１０】
前記表示手段に表示している第１の画像と、隣接するズームポジションで表示する第２の画像の間でのズーム動作中には、拡大ズーム中では、前記第１の画像を前記第２の画像の画角と略同一になるまで拡大しつつ表示させ、縮小ズーム中では前記第２の画角と略同一になるまで縮小しつつ表示させることを特徴とする請求項９に記載の撮像装置。
【請求項１１】
画像のぶれ方向とぶれ量を検出するぶれ検出手段を更に具備し、画像の拡大あるいは縮小を行なう際の変倍中心を前記表示手段の画像表示部の中心と一致させることを特徴とする請求項１０に記載の撮像装置。
【請求項１２】
前記複数のレンズ群は、一つの駆動源により移動されることを特徴とする請求項９に記載の撮像装置。
【請求項１３】
複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、
前記被写体像を光電変換して画像信号を生成するための撮像手段と、
該撮像手段からの画像信号を表示するための表示手段と、
前記表示手段に画像を表示させつつズーム動作を行う場合には、ズーム中の画像の表示領域は撮影待機状態時の画像の表示領域よりも狭い領域に表示させる制御手段とを具備することを特徴とする撮像装置。
【請求項１４】
前記表示手段の画像領域以外の表示領域には画像情報以外の情報を表示させることを特徴とする請求項１３に記載の撮像装置。
【請求項１５】
前記画像情報以外の情報とは焦点距離情報であることを特徴とする請求項１４に記載の撮像装置。
【請求項１６】
前記複数のレンズ群は、一つの駆動源により移動されることを特徴とする請求項１３に記載の撮像装置。
【請求項１７】
複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、
前記被写体像を光電変換して画像信号を生成するための撮像手段と、
該撮像手段からの画像信号を表示するための表示手段と、
前記表示手段に画像を表示させつつズーム動作を行う場合には、各ズームポジション内の撮影許可領域撮影許可領域と撮影不許可領域とでは画像を切り替える制御手段とを具備することを特徴とする撮像装置。
【請求項１８】
各ズームポジション内の撮影許可領域では画像を表示し、各ズームポジション内の撮影不許可領域では画像を表示しないことを特徴とする請求項１７に記載の撮像装置。
【請求項１９】
各ズームポジション内の撮影許可領域では画像を表示し、各ズームポジション内の撮影不許可領域では画像情報以外の情報を表示することを特徴とする請求項１７に記載の撮像装置。
【請求項２０】
前記画像情報以外の情報とは焦点距離情報であることを特徴とする請求項１９に記載の撮像装置。
【請求項２１】
各ズームポジション内の撮影許可領域では画像を表示し、各ズームポジション内の撮影不許可領域では所定の静止画像を表示し続けることを特徴とする請求項１７に記載の撮像装置。
【請求項２２】
前記所定の静止画像とは、拡大ズーム中であれば撮影不許可領域の広角側に隣接する撮影許可領域との境界で得られる画像であり、縮小ズーム中であれば撮影不許可領域の望遠側に隣接する撮影許可領域との境界で得られる画像であることを特徴とする請求項２１に記載の撮像装置。
【請求項２３】
ズーム動作に連動させて所定の静止画像を変倍表示させることを特徴とする請求項２２に記載の撮像装置。
【請求項２４】
前記複数のレンズ群は、一つの駆動源により移動されることを特徴とする請求項１７に記載の撮像装置。
【請求項２５】
複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、
前記被写体像を光電変換して画像信号を生成するための撮像手段と、
該撮像手段からの画像信号を表示するための表示手段と、
前記表示手段に画像を表示させつつズーム動作を行う場合には、ズーム中の表示解像度を撮影待機状態時の表示解像度よりも低く設定する制御手段とを具備することを特徴とする撮像装置。
【請求項２６】
前記複数のレンズ群は、一つの駆動源により移動されることを特徴とする請求項２５に記載の撮像装置。
【請求項２７】
複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、
前記ズームポジションを変更した後に前記表示手段に画像を表示させる状態であれば、前記撮影光学系の停止位置を第１の位置に設定し、前記ズームポジションを変更した後に前記表示手段に画像を表示させない状態であれば、前記撮像光学系の停止位置を前記第１の位置とは異なる第２の位置に設定することを特徴とする撮像装置の制御方法。
【請求項２８】
前記複数のレンズ群は、一つの駆動源により移動されることを特徴とする請求項２７に記載の撮像装置の制御方法。
【請求項２９】
複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、
前記表示手段に画像を表示させつつズーム動作を行なう場合には、ズーム動作中は各ズームポジション内の所定の被写体距離に合焦する撮影光学系の配置で得られる画像を静止画として表示させ、各ズームポジション毎に前記静止画を切り替え表示させることを特徴とする撮像装置の制御方法。
【請求項３０】
前記複数のレンズ群は、一つの駆動源により移動されることを特徴とする請求項２９に記載の撮像装置の制御方法。
【請求項３１】
複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、
前記表示手段に画像を表示させつつズーム動作を行う場合には、ズーム中の画像の表示領域は撮影待機状態時の画像の表示領域よりも狭い領域に表示させることを特徴とする撮像装置の制御方法。
【請求項３２】
前記複数のレンズ群は、一つの駆動源により移動されることを特徴とする請求項３１に記載の撮像装置の制御方法。
【請求項３３】
複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、
前記表示手段に画像を表示させつつズーム動作を行う場合には、各ズームポジション内の撮影許可領域と撮影不許可領域とでは画像を切り替えることを特徴とする撮像装置の制御方法。
【請求項３４】
前記複数のレンズ群は、一つの駆動源により移動されることを特徴とする請求項３３に記載の撮像装置の制御方法。
【請求項３５】
複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、
前記表示手段に画像を表示させつつズーム動作を行う場合には、ズーム中の表示解像度を撮影待機状態時の表示解像度よりも低く設定することを特徴とする撮像装置の制御方法。
【請求項３６】
前記複数のレンズ群は、一つの駆動源により移動されることを特徴とする請求項３５に記載の撮像装置の制御方法。
【請求項３７】
請求項２７乃至３６のいずれか１項に記載の制御方法をコンピュータに実行させることを特徴とするプログラム。
【請求項３８】
請求項３７に記載のプログラムをコンピュータ読み取り可能に記憶したことを特徴とする記憶媒体。
【発明の詳細な説明】
【０００１】
【発明の属する技術分野】
本発明は、ズーム機能を有する撮像装置に関するものである。
【０００２】
【従来の技術】
特開２０００−１１１７８８号公報には、変倍レンズと合焦レンズとを駆動する変倍駆動手段と合焦駆動手段とを備え、画像表示部に表示しているかどうかで、変倍レンズの位置に対する合焦レンズの位置を独立制御する技術が提案されている。
【０００３】
【発明が解決しようとする課題】
しかしながら、特開２０００−１１１７８８号公報記載の構成では、所謂ステップズームの場合には、各ズームポジションを繋ぐ領域では結像面に被写体光が結像しない。そのため、変倍動作中に画像を画像表示部に表示させていると、各ズームポジションの撮影許可領域ではピントがあった画像を観ることが出来るが、各ズームポジションの撮影不可領域と各ズームポジションを繋ぐ領域ではピントがあった画像を観ることが出来ないという問題点がある。
【０００４】
従って、本発明は上述した課題に鑑みてなされたものであり、その目的は、撮像装置においてステップズームを用いた場合においても、違和感のない画像表示を可能とすることである。
【０００５】
【課題を解決するための手段】
上述した課題を解決し、目的を達成するために、本発明に係わる撮像装置は、複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、前記被写体像を光電変換して画像信号を生成するための撮像手段と、該撮像手段からの画像信号を表示するための表示手段と、前記ズームポジションを変更した後に前記表示手段に画像を表示させる状態であれば、前記撮影光学系の停止位置を第１の位置に設定し、前記ズームポジションを変更した後に前記表示手段に画像を表示させない状態であれば、前記撮像光学系の停止位置を前記第１の位置とは異なる第２の位置に設定する制御手段とを具備することを特徴としている。
【０００６】
また、この発明に係わる撮像装置において、前記第１の位置はズームポジション内の撮影許可領域内の位置であり、前記第２の位置はズームポジション内の撮影許可領域近傍の撮影不許可領域内の位置であることを特徴としている。
【０００７】
また、この発明に係わる撮像装置において、前記第１の位置は、前記表示手段の画像表示部の大きさに対する許容錯乱円径に基づく過焦点距離に合焦する位置であることを特徴としている。
【０００８】
また、この発明に係わる撮像装置において、前記第２の位置は、撮影可能と設定された最短距離に合焦する光学配置近傍の撮影不許可と設定された位置、あるいは無限遠に合焦する光学配置近傍の撮影不許可と設定位置であることを特徴としている。
【０００９】
また、この発明に係わる撮像装置において、ズームポジション変更後に前記表示手段に画像が表示されていない状態から、画像を表示させる操作を行った場合には、前記撮影光学系を前記第２の位置から前記第１の位置に移動させた後、前記表示手段に画像を表示させることを特徴としている。
【００１０】
また、この発明に係わる撮像装置において、ズームポジション変更後に前記表示手段に画像が表示されている状態から、画像を表示させない操作を行った場合には、前記表示手段を非表示状態にした後、前記撮影光学系を前記第１の位置から前記第２の位置に移動させることを特徴としている。
【００１１】
また、この発明に係わる撮像装置において、前記表示手段に画像を表示させた状態で撮影操作が行われた場合には、前記撮影光学系を前記第１の位置から撮影不許可領域へ移動させた後に、合焦動作を行うことを特徴としている。
【００１２】
また、この発明に係わる撮像装置において、前記複数のレンズ群は、一つの駆動源により移動されることを特徴としている。
【００１３】
また、本発明に係わる撮像装置は、複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、前記被写体像を光電変換して画像信号を生成するための撮像手段と、該撮像手段からの画像信号を表示するための表示手段と、前記表示手段に画像を表示させつつズーム動作を行なう場合には、ズーム動作中は各ズームポジション内の所定の被写体距離に合焦する撮影光学系の配置で得られる画像を静止画として表示させ、各ズームポジション毎に前記静止画を切り替え表示させる制御手段とを具備することを特徴としている。
【００１４】
また、この発明に係わる撮像装置において、前記表示手段に表示している第１の画像と、隣接するズームポジションで表示する第２の画像の間でのズーム動作中には、拡大ズーム中では、前記第１の画像を前記第２の画像の画角と略同一になるまで拡大しつつ表示させ、縮小ズーム中では前記第２の画角と略同一になるまで縮小しつつ表示させることを特徴としている。
【００１５】
また、この発明に係わる撮像装置において、画像のぶれ方向とぶれ量を検出するぶれ検出手段を更に具備し、画像の拡大あるいは縮小を行なう際の変倍中心を前記表示手段の画像表示部の中心と一致させることを特徴としている。
【００１６】
また、この発明に係わる撮像装置において、前記複数のレンズ群は、一つの駆動源により移動されることを特徴としている。
【００１７】
また、本発明に係わる撮像装置は、複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、前記被写体像を光電変換して画像信号を生成するための撮像手段と、該撮像手段からの画像信号を表示するための表示手段と、前記表示手段に画像を表示させつつズーム動作を行う場合には、ズーム中の画像の表示領域は撮影待機状態時の画像の表示領域よりも狭い領域に表示させる制御手段とを具備することを特徴としている。
【００１８】
また、この発明に係わる撮像装置において、前記表示手段の画像領域以外の表示領域には画像情報以外の情報を表示させることを特徴としている。
【００１９】
また、この発明に係わる撮像装置において、前記画像情報以外の情報とは焦点距離情報であることを特徴としている。
【００２０】
また、この発明に係わる撮像装置において、前記複数のレンズ群は、一つの駆動源により移動されることを特徴としている。
【００２１】
また、本発明に係わる撮像装置は、複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、前記被写体像を光電変換して画像信号を生成するための撮像手段と、該撮像手段からの画像信号を表示するための表示手段と、前記表示手段に画像を表示させつつズーム動作を行う場合には、各ズームポジション内の撮影許可領域と撮影不許可領域とでは画像を切り替える制御手段とを具備することを特徴としている。
【００２２】
また、この発明に係わる撮像装置において、各ズームポジション内の撮影許可領域では画像を表示し、各ズームポジション内の撮影不許可領域では画像を表示しないことを特徴としている。
【００２３】
また、この発明に係わる撮像装置において、各ズームポジション内の撮影許可領域では画像を表示し、各ズームポジション内の撮影不許可領域では画像情報以外の情報を表示することを特徴としている。
【００２４】
また、この発明に係わる撮像装置において、前記画像情報以外の情報とは焦点距離情報であることを特徴としている。
【００２５】
また、この発明に係わる撮像装置において、各ズームポジション内の撮影許可領域では画像を表示し、各ズームポジション内の撮影不許可領域では所定の静止画像を表示し続けることを特徴としている。
【００２６】
また、この発明に係わる撮像装置において、前記所定の静止画像とは、拡大ズーム中であれば撮影不許可領域の広角側に隣接する撮影許可領域との境界で得られる画像であり、縮小ズーム中であれば撮影不許可領域の望遠側に隣接する撮影許可領域との境界で得られる画像であることを特徴としている。
【００２７】
また、この発明に係わる撮像装置において、ズーム動作に連動させて所定の静止画像を変倍表示させることを特徴としている。
【００２８】
また、この発明に係わる撮像装置において、前記複数のレンズ群は、一つの駆動源により移動されることを特徴としている。
【００２９】
また、本発明に係わる撮像装置は、複数のレンズ群を移動させて複数のズームポジションを段階的に設定するとともに、設定したズームポジション内においてレンズ群の相対位置を変化させて合焦動作を行う撮影光学系を用いて被写体像を撮像するための撮像装置であって、前記被写体像を光電変換して画像信号を生成するための撮像手段と、該撮像手段からの画像信号を表示するための表示手段と、前記表示手段に画像を表示させつつズーム動作を行う場合には、ズーム中の表示解像度を撮影待機状態時の表示解像度よりも低く設定する制御手段とを具備することを特徴としている。
【００３０】
また、この発明に係わる撮像装置において、前記複数のレンズ群は、一つの駆動源により移動されることを特徴としている。
【００３１】
また、本発明に係わる撮像装置の制御方法は、複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、前記ズームポジションを変更した後に前記表示手段に画像を表示させる状態であれば、前記撮影光学系の停止位置を第１の位置に設定し、前記ズームポジションを変更した後に前記表示手段に画像を表示させない状態であれば、前記撮像光学系の停止位置を前記第１の位置とは異なる第２の位置に設定することを特徴としている。
【００３２】
また、この発明に係わる撮像装置の制御方法において、前記複数のレンズ群は、一つの駆動源により移動されることを特徴としている。
【００３３】
また、本発明に係わる撮像装置の制御方法は、複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、前記表示手段に画像を表示させつつズーム動作を行なう場合には、ズーム動作中は各ズームポジション内の所定の被写体距離に合焦する撮影光学系の配置で得られる画像を静止画として表示させ、各ズームポジション毎に前記静止画を切り替え表示させることを特徴としている。
【００３４】
また、この発明に係わる撮像装置の制御方法において、前記複数のレンズ群は、一つの駆動源により移動されることを特徴としている。
【００３５】
また、本発明に係わる撮像装置の制御方法は、複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、前記表示手段に画像を表示させつつズーム動作を行う場合には、ズーム中の画像の表示領域は撮影待機状態時の画像の表示領域よりも狭い領域に表示させることを特徴としている。
【００３６】
また、この発明に係わる撮像装置の制御方法において、前記複数のレンズ群は、一つの駆動源により移動されることを特徴としている。
【００３７】
また、本発明に係わる撮像装置の制御方法は、複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、前記表示手段に画像を表示させつつズーム動作を行う場合には、各ズームポジション内の撮影許可領域と撮影不許可領域とでは画像を切り替えることを特徴としている。
【００３８】
また、この発明に係わる撮像装置の制御方法において、前記複数のレンズ群は、一つの駆動源により移動されることを特徴としている。
【００３９】
また、本発明に係わる撮像装置の制御方法は、複数のレンズ群を移動させて複数のズームポジションを段階的に設定するとともに、設定したズームポジション内においてレンズ群の相対位置を変化させて合焦動作を行う撮影光学系を通過した被写体像を光電変換して画像信号を生成するための撮像手段と、該撮像手段からの画像信号を表示するための表示手段とを具備する撮像装置を制御するための撮像装置の制御方法であって、前記表示手段に画像を表示させつつズーム動作を行う場合には、ズーム中の表示解像度を撮影待機状態時の表示解像度よりも低く設定することを特徴としている。
【００４０】
また、この発明に係わる撮像装置の制御方法において、前記複数のレンズ群は、一つの駆動源により移動されることを特徴としている。
【００４１】
また、本発明に係わるプログラムは、上記の制御方法をコンピュータに実行させることを特徴としている。
【００４２】
また、本発明に係わる記憶媒体は、上記のプログラムをコンピュータ読み取り可能に記憶したことを特徴としている。
【００４３】
【発明の実施の形態】
以下、本発明の好適な実施形態について、添付図面を参照して詳細に説明する。
【００４４】
（第１の実施形態）
図１Ａ、図１Ｂは本発明を適用した第１の実施形態のデジタル・カメラの外観斜視図である。図２は第１の実施形態のデジタル・カメラのブロック図である。
【００４５】
まず、撮影までの動作を略説する。撮影者が本体１００に設けられたメイン電源１０５を操作すると、カメラマイコン１は鏡筒制御部３により撮像部２を構成する撮影光学系を内包する撮影レンズ鏡筒１０１とフラッシュ１０４を本体１００より突出させ、撮影可能状態とする。なお、撮像部２には、撮影光学系により結像された被写体像を光電変換して画像信号を生成するためのＣＣＤ等の撮像素子が配置されている。撮影者はファインダー（接眼レンズ）１０７を覗くか若しくは、画像表示指示部７を構成する画像表示切り替えボタン１０９ａにより画像表示部６を構成する液晶ディスプレイ１０６に画像を表示させ、表示された画像を見ながら画角指示部４を構成するズームボタン１０８を操作し、画角を決定する。撮影者が画角を決定した後、レリーズボタン１０３を操作すると、撮影レンズ鏡筒１０１或いは内包する光学系の少なくとも一部が駆動され撮影が行われる。
【００４６】
なお、撮影光学系は、一つの駆動源により複数のレンズ群を移動させて複数のズームポジションを段階的に設定するとともに、設定したズームポジション内においてレンズ群の相対位置を変化させて合焦動作を行うように構成されている。
【００４７】
撮影レンズ鏡筒１０１に内包される撮影光学系レンズ群の軌跡を図３Ａに示す。本発明はステップズームに対して適用される。点線ＷがＷＩＤＥ（広角）側、点線ＴがＴＥＬＥ（望遠）側である。第１レンズ群の軌跡が２０２、第２レンズ群の軌跡が２０１、第３レンズ群の軌跡が２００である。第１レンズ群、第２レンズ群が変倍を担い、第３レンズ群が合焦と結像位置の維持を担っている。第３レンズ群が階段状の軌跡を構成することでＰ１〜Ｐ７までの７段の撮影可能なズームポジションが設定されている。
【００４８】
尚、本実施形態では３群構成の撮影光学系を例示したが、本発明はこれに限定されるものではなく、２群構成であっても良いし、４群以上の構成であっても良い。
【００４９】
図３Ｂは、図３Ａにおける第３レンズ群の軌跡を拡大して一部を示した図である。
【００５０】
点線ａは無限遠合焦軌跡、点線ｃは撮影可能最短距離合焦軌跡であり、一点鎖線ｂは所定の被写体距離に合焦する軌跡である。ａ１〜ａ３は第３レンズ群の軌跡と無限遠合焦軌跡との交点、ｂ１〜ｂ３は第３レンズ群の軌跡と所定の被写体距離合焦軌跡との交点、ｃ１〜ｃ３第３レンズ群の軌跡と撮影可能最短距離合焦軌跡との交点である。所定の被写体距離とは液晶ディスプレイ１０６上では略パンフォーカスに見える被写体距離であり、過焦点距離と同一に設定すればよい。過焦点距離を設定する際に、液晶ディスプレイ１０６の大きさがＬ版プリントサイズよりも小さいため許容錯乱円径は大きくなることを利用し、液晶ディスプレイ１０６に対する許容錯乱円径を用いる。尚、厳密に過焦点距離と同一に設定する必要はなく、過焦点距離近傍に設定すればよい。各ズームポジション内でａ〜ｂ〜ｃの間の領域が撮影許可領域であり、ｄ１〜ｄ４は撮影に使用しない撮影不可領域である。撮影不可領域が設定されているのは、製造精度や調整余裕等を考慮してのことである。ｄ１→ｄ４の向きがＴＥＬＥ方向ズームであり、ｄ４→ｄ１の向きがＷＩＤＥ方向ズームである。
【００５１】
本実施形態に於ける、撮影光学系の制御について詳説する。
【００５２】
撮影者がズームボタン１０８をＴＥＬＥ側に操作すると撮影レンズ鏡筒１０１が駆動され、撮影レンズ群がそれぞれの相対位置を変化させながら移動し、変倍が行われる。第３レンズ群の動きに着目すると、ＴＥＬＥ側に移動する際にはｄ１→ｄ４の向きにレンズが移動する。ここで、ａ２〜ｃ２を撮影許可領域に、ａ２〜ｄ２、ｃ２〜ｄ３の領域を撮影不可領域に設定された状態を第１のズームポジションとし、ａ３〜ｃ３を撮影許可領域に、ｃ３〜ｄ３、ａ３〜ｄ４の領域を撮影不可領域に設定された状態を第２のズームポジションとする。
【００５３】
まず、第１のズームポジションから第２のズームポジションへ画角を変化させた後、液晶ディスプレイ１０６に画像を表示させる場合を述べる。尚、画角変化中も画像表示を行い、画角変化後も画像表示を行っている状態でも同じである。カメラマイコン１は鏡筒制御部３により、第３レンズ群がｂ３に位置するように撮影光学系を配置する。第３レンズ群の位置を判断する方法としてはズーム減速ギア列にフォトインタラプターなどのセンサーを配置して検出すればよい。第３レンズ群がｂ３に配置されると撮影者は液晶ディスプレイ１０６上に略パンフォーカスな画像を見ることが可能になる。
【００５４】
次に第１のズームポジションから第２のズームポジションへ画角を変化させた後、液晶ディスプレイ１０６に画像を表示させない場合を述べる。
【００５５】
カメラマイコン１は鏡筒制御部３により、第３レンズ群が撮影許可領域ａ３〜ｃ３近傍の撮影不可領域ｃ３〜ｄ３の領域、或いはａ３〜ｄ４の領域に位置するように撮影光学系を配置する。ａ３〜ｄ４の領域は無限遠に合焦する位置よりも更に無限遠側の領域であり、ｃ３〜ｄ３の領域は撮影可能な最短距離に合焦する位置よりも更に至近側の領域である。第３レンズ群が撮影不可領域中に配置されている場合には、ＣＣＤ上には結像した画像は得られないが、液晶ディスプレイ１０６は表示されていないため撮影者が違和感を感じることはない。
【００５６】
上記のように、液晶ディスプレイ１０６に画像を表示しているか表示していないかで、撮影光学系の停止位置を異ならせる。
【００５７】
続いて、撮影時の撮影光学系の制御について述べる。
【００５８】
液晶ディスプレイ１０６に画像が表示されている場合では、第３レンズ群がｂ３に位置するように撮影光学系が配置されているので、カメラマイコン１は鏡筒制御部３により一旦撮影レンズ鏡筒１０１を第２のズームポジション内の撮影不可領域へ移動させる。移動させた後、再度撮影レンズ鏡筒１０１を駆動し、撮影許可領域で合焦動作を行い、ピント位置を決定し、撮影を行う。一旦撮影レンズ鏡筒１０１を第２のズームポジション内の撮影不可領域へ移動させるのは、鏡筒を定常状態で撮影許可領域を移動させ、合焦動作を行わせるためである。
【００５９】
液晶ディスプレイ１０６に画像が表示されていない場合では、撮影レンズ鏡筒１０１は第２のズームポジション内の撮影不可領域に配置されているので、カメラマイコン１はそのまま、鏡筒制御部３により撮影許可領域で合焦動作を行い、ピント位置を決定し、撮影を行う。
【００６０】
以上の画角決定から撮影までのフローチャートを図４に示す。
【００６１】
ＳＴＡＲＴはズームボタン１０８が操作され、第１のズームポジションから第２のズームポジションへ画角を変化させる状態である。ステップＳ１００に於いて、画角変更後に液晶ディスプレイ１０６に画像が表示される状態か否かが判断される。表示される状態であれば、ステップＳ１０１へ、表示されない状態であれば、ステップＳ２００へ移る。
【００６２】
ステップＳ１０１に於いて、鏡筒制御部３により撮影レンズ鏡筒１０１が駆動される。ステップＳ１０２に於いて、第３レンズ群がｂ３に位置するように撮影光学系が配置されたかどうかが判断される。第３レンズ群がｂ３の位置に配置されていないと判断されると、ステップＳ１０１に戻り、更に撮影レンズ鏡筒１０１を駆動する。第３レンズ群がｂ３の位置に配置されたと判断されると、ステップＳ１０３において、撮影レンズ鏡筒１０１の駆動を停止し撮影待機状態となる。撮影待機状態のまま、ステップＳ１０４に於いて、レリーズボタン１０３が操作されたかが判断される。操作されていないと判断されるとそのまま撮影待機状態となり、操作されたと判断されると、ステップＳ１０５において、撮影レンズ鏡筒１０１を一旦第２のズームポジション内の撮影不可領域へ移動させる。ステップＳ１０６に於いて、撮影レンズ鏡筒１０１が第２のズームポジション内の撮影不可領域へ移動したかが判断される。移動していないと判断されると、ステップＳ１０５に戻り、更に撮影レンズ鏡筒１０１を駆動する。撮影不可領域へ移動したと判断されると、ステップＳ１０７において、ＡＦ（オートフォーカス）動作のための撮影レンズ鏡筒１０１の駆動が行われ、ステップＳ１０８に於いて、測定結果からピント位置が決定される。ピント位置が決定された後、ステップＳ１０９に於いて、再度撮影レンズ鏡筒１０１が駆動され決定されたピント位置まで移動させられる。ピント位置に撮影レンズ鏡筒１０１が駆動された後、ステップＳ１１０に於いて、撮影レンズ鏡筒１０１の駆動を停止し、ステップＳ１１１に於いて撮影が行われる。撮影が行われた後、撮影待機状態（ＳＴＯＰ）となる。
【００６３】
ステップＳ１００に於いて、画角変更後に液晶ディスプレイ１０６に画像が表示されない状態であれば、ステップＳ２００に於いて、撮影レンズ鏡筒１０１が第２のズームポジション内の撮影不可領域へ駆動される。ステップＳ２０１に於いて、撮影レンズ鏡筒１０１が第２のズームポジション内の撮影不可領域へ移動させられたかが判断される。移動していないと判断されると、ステップＳ２００に戻り、更に撮影レンズ鏡筒１０１を駆動する。撮影不可領域へ移動したと判断されると、ステップＳ２０２に於いて、撮影レンズ鏡筒１０１を停止し、撮影待機状態となる。撮影待機状態のまま、ステップＳ２０３に於いて、レリーズボタン１０３が操作されたかが判断される。操作されていないと判断されるとそのまま撮影待機状態となり、操作されたと判断されると、ステップＳ１０７へ移る。以下は同じである。
【００６４】
（第２の実施形態）
本発明を適用した第２の実施形態のデジタル・カメラについて説明する。本実施形態では、撮影待機状態に於いて、液晶ディスプレイ１０６に画像を表示から非表示へ、非表示から表示へ切り替えた場合の制御について説明する。撮影光学系の配置は第１の実施形態で定義された第２のズームポジションであると想定する。デジタル・カメラの構成は第１の実施形態と同一でよいから説明を省略する。
【００６５】
まず、表示から非表示へ切り替えられた場合について述べる。
【００６６】
液晶ディスプレイ１０６に画像を表示した状態で撮影待機状態の際には、第３レンズ群が所定の被写体距離に合焦するｂ３に位置するように撮影光学系は配置されている。所定の被写体距離は第１の実施形態と同一でよい。画像表示切り替えボタン１０９ａにより画像非表示に切り替えられると、カメラマイコン１は画像表示制御部５により、画像を非表示に切り替える。画像を非表示にした後、鏡筒制御部３により、第３レンズ群が撮影許可領域ａ３〜ｃ３近傍の撮影不可領域ｃ３〜ｄ３の領域、或いはａ３〜ｄ４の領域に位置するように撮影光学系を配置する。撮影光学系が撮影不可領域に配置された状態で撮影待機状態となる。
【００６７】
上記の制御フローチャートを図５Ａに示す。ＳＴＡＲＴは画像表示部６に画像を表示して撮影待機状態である。ステップＳ３００に於いて、画像表示切り替えボタン１０９ａが操作されたかが判断される。操作されていないと判断されると、画像を表示したまま撮影待機状態を続ける。操作されたと判断されると、ステップＳ３０１に於いて、画像表示制御部５により画像が非表示に切り替えられる。画像が非表示に切り替えられた後、ステップＳ３０２に於いて、鏡筒制御部３により撮影レンズ鏡筒１０１が第２のズームポジション内の撮影不可領域へ移動させられる。ステップＳ３０３に於いて、撮影レンズ鏡筒１０１が第２のズームポジション内の撮影不可領域へ移動したかが判断され、移動していないと判断されると、ステップＳ３０２に戻り更に撮影レンズ鏡筒１０１が駆動される。移動したと判断されると、ステップＳ３０４に於いて、撮影レンズ鏡筒１０１の駆動が停止され、画像を非表示にした状態で撮影待機状態（ＳＴＯＰ）となる。
【００６８】
次に、非表示から表示へ切り替えられた場合について述べる。
【００６９】
液晶ディスプレイ１０６に画像を表示していない状態で撮影待機状態の際には、第３レンズ群が撮影許可領域ａ３〜ｃ３近傍の撮影不可領域ｃ３〜ｄ３の領域、或いはａ３〜ｄ４の領域に位置するように撮影光学系は配置されている。画像表示切り替えボタン１０９ａにより画像表示に切り替えられると、カメラマイコン１は鏡筒制御部３により、第３レンズ群がｂ３に位置するように撮影光学系が配置される。所定の被写体距離は第１の実施形態と同一でよい。撮影光学系が配置された後、画像表示制御部５により、画像を表示に切り替える。画像が表示された状態で撮影待機状態となる。
【００７０】
上記の制御フローチャートを図５Ｂに示す。ＳＴＡＲＴは画像非表示で撮影待機状態である。ステップＳ４００に於いて、画像表示切り替えボタン１０９ａが操作されたかが判断される。操作されていないと判断されると、画像を非表示のまま撮影待機状態を続ける。操作されたと判断されると、ステップＳ４０１に於いて、鏡筒制御部３により撮影レンズ鏡筒１０１が所定の被写体距離に合焦する位置に駆動される。ステップＳ４０２に於いて、第３レンズ群がｂ３に位置するように撮影光学系が配置されたかが判断される。第３レンズ群がｂ３に位置していないと判断されると、ステップＳ４０１に戻り、更に撮影レンズ鏡筒１０１が駆動される。第３レンズ群がｂ３に位置していると判断されると、ステップＳ４０３に於いて、撮影レンズ鏡筒１０１の駆動が停止される。撮影レンズ鏡筒１０１の駆動を停止した後、ステップＳ４０４に於いて、画像表示制御部５は画像を表示させ、画像を表示させた状態で撮影待機状態（ＳＴＯＰ）となる。
【００７１】
（第３の実施形態）
本発明を適用した第３の実施形態のデジタル・カメラについて説明する。デジタル・カメラの構成は第１の実施形態と同一でよいから説明を省略する。
【００７２】
液晶ディスプレイ１０６に画像を表示させたまま、変倍動作を行う際に、ピンぼけ画像を表示させないために、撮影光学系が所定の被写体距離に合焦する配置になった時の画像を表示させる。所定の被写体距離とは第１の実施形態で定義した被写体距離であればよい。
【００７３】
図３Ｂを用いて説明する。ズームボタン１０８をＴＥＬＥ側に操作したとすると、カメラマイコン１は鏡筒制御部３により撮影レンズ鏡筒１０１をＴＥＬＥ側に駆動する。第３レンズ群がｄ１からｄ４へ移動するように撮影光学系が変倍動作を行ったとする。撮影レンズ鏡筒１０１が駆動されている状態で、第３レンズ群が所定の被写体距離に合焦する位置であるｂ１に位置するときの撮影光学系を通して入射する被写体光を画像データとして取り込み、液晶ディスプレイ１０６に表示する。第３レンズ群がｂ１からｂ２へ移動する間、液晶ディスプレイ１０６にはｂ１で取り込んだ画像を表示し続ける。第３レンズ群がｂ２に位置するときの撮影光学系を通して入射する被写体光を画像データとして取り込み、液晶ディスプレイ１０６にｂ１で取り込んだ画像から切り替えて表示する。第３レンズ群がｂ２からｂ３へ移動する間、液晶ディスプレイ１０６にはｂ２で取り込んだ画像を表示し続ける。第３レンズ群がｂ３に位置するときの撮影光学系を通して入射する被写体光を画像データとして取り込み、液晶ディスプレイ１０６にｂ２で取り込んだ画像から切り替えて表示する。
【００７４】
図６に液晶ディスプレイ１０６に表示される画像の概略図を示す。第３レンズ群がｂ１に位置するときに得られる画像ｂｂ１からｂ２に位置するときに得られる画像ｂｂ２へ表示が切り替わり、ｂ３に位置するときに得られる画像ｂｂ３へ表示が切り替わっていく。撮影者は表示される画像を観ながら画角を決定する。尚、ズームボタン１０８がＷＩＤＥ側に操作されたときも表示される画像の順番が逆になるだけで同様である。
【００７５】
上記表示制御のフローチャートを図７Ａに示す。ＳＴＡＲＴは液晶ディスプレイ１０６に画像を表示して撮影待機状態である。ステップＳ５００に於いて、画角指示部４であるズームボタン１０８が操作されたかが判断される。操作されていないと判断されると、そのまま撮影待機状態となる。操作されたと判断されると、ステップＳ５０１に於いて、ズームボタン１０８がＴＥＬＥ側とＷＩＤＥ側のどちら側に操作されたかが検出される。変倍方向が決定された後、ステップＳ５０２に於いて、画像表示制御部５は表示されている画像を、静止画として表示し続ける設定を行う。表示設定が行われた後、ステップＳ５０３に於いて、鏡筒制御部３により撮影レンズ鏡筒１０１が駆動される。撮影レンズ鏡筒１０１が駆動された後、ステップＳ５０４に於いて、所定の被写体距離に合焦する配置になったかが判断される。なっていないと判断されると、ステップＳ５０３に戻り、更に撮影レンズ鏡筒１０１が駆動される。所定の被写体距離に合焦する配置になったと判断されると、ステップＳ５０５に於いて、撮影光学系を通して入射する被写体光を画像データとして取り込む。画像を取り込んだ後、ステップＳ５０６に於いて、画像表示制御部５は取り込んだ画像データを液晶ディスプレイ１０６に静止画として表示する。表示された後、ステップＳ５０７に於いて、ズームボタン１０８が操作され続けているかが判断される。操作されていると判断されるとステップＳ５０３に戻り、次のズームポジションに向けて撮影レンズ鏡筒１０１を駆動し、同一制御を繰り返す。ズームボタン１０８の操作が終わったと判断されると、ステップＳ５０８に於いて、撮影レンズ鏡筒１０１の駆動を停止する。撮影レンズ鏡筒１０１を停止させた後、ステップＳ５０９に於いて、画像表示制御部５は静止画像の表示から撮影光学系を通して入射する被写体光をリアルタイムに表示させる設定を行う。表示設定が行われた後、撮影待機状態（ＳＴＯＰ）となる。
【００７６】
（第４の実施形態）
本発明を適用した第４の実施形態のデジタル・カメラについて説明する。デジタル・カメラの構成は第１の実施形態と同一でよいから説明を省略する。
【００７７】
液晶ディスプレイ１０６に画像を表示させたまま、変倍動作を行う際に、ピンぼけ画像を表示させないために、撮影光学系が所定の被写体距離に合焦する配置になった時の画像を表示させる。所定の被写体距離とは第１の実施形態で定義した被写体距離であればよい。画像を取り込むタイミングは第３の実施形態と同一でよいから説明を省略する。
【００７８】
ズームボタン１０８がＴＥＬＥ側に操作されたと想定する。撮影レンズ鏡筒１０１が駆動されている状態で、第３レンズ群が所定の被写体距離に合焦するｂ１に位置するときの撮影光学系を通して入射する被写体光を画像データとして取り込み、液晶ディスプレイ１０６に表示する。第３レンズ群がｂ１からｂ２へ移動する間、液晶ディスプレイ１０６にはｂ１で取り込んだ画像を拡大しながら表示する。画像の拡大はｂ１での画角とｂ２での画角を滑らかに繋ぐように撮影レンズ鏡筒１０１の移動速度に合わせて行われる。また、変倍しつつ画像データから、ぶれ検出部８により手ぶれの方向とぶれ量を検出し、拡大する画像の拡大中心と液晶ディスプレイ１０６の中心が一致するように画像を調整しながら表示させる。第３レンズ群がｂ２に位置するように撮影光学系が配置されると、撮影光学系を通して入射する被写体光を画像データとして取り込み、液晶ディスプレイ１０６にｂ１で取り込んだ画像から切り替えて表示する。手ぶれを補正しているために画像を切り替える際も、画像が滑らかに切り替えられる。
【００７９】
第３レンズ群がｂ２からｂ３へ移動する間、液晶ディスプレイ１０６にはｂ２で取り込んだ画像を拡大しながら表示する。拡大の割合はｂ２での画角とｂ３での画角を滑らかに繋ぐように撮影レンズ鏡筒１０１の移動速度に合わせる。また、変倍しつつ画像データから、ぶれ検出部８により手ぶれの方向とぶれ量を検出し、拡大する画像の拡大中心と液晶ディスプレイ１０６の中心が一致するように画像をずらしながら表示させる。第３レンズ群がｂ３に位置するように撮影光学系が配置されると、撮影光学系を通して入射する被写体光を画像データとして取り込み、液晶ディスプレイ１０６にｂ２で取り込んだ画像から切り替えて表示する。手ぶれを補正しているために画像を切り替える際も、画像が滑らかに切り替えられる。
【００８０】
尚、ズームボタン１０８がＷＩＤＥ側に操作されたときも表示される画像の順番が逆になるだけで同様である。
【００８１】
上記表示制御のフローチャートを図７Ｂに示す。ＳＴＡＲＴは液晶ディスプレイ１０６に画像を表示して撮影待機状態である。ステップＳ５５０に於いて、画角指示部４であるズームボタン１０８が操作されたかが判断される。操作されていないと判断されると、そのまま撮影待機状態となる。操作されたと判断されると、ステップＳ５５１に於いて、ズームボタン１０８がＴＥＬＥ側とＷＩＤＥ側のどちら側に操作されたかが検出される。変倍方向が決定された後、ステップＳ５５２に於いて、画像表示制御部５は表示されている画像を、静止画として表示し続ける設定を行う。表示設定が行われた後、ステップＳ５５３に於いて、撮影レンズ鏡筒１０１の動作スピードに合わせて静止画を変倍表示させる。変倍表示させつつ、ステップＳ５５４に於いて、ぶれ検出部８により手ぶれの方向とぶれ量を検出し変倍する静止画の変倍中心位置を調整する。ぶれ補正が始まった後、ステップＳ５５５に於いて、鏡筒制御部３により撮影レンズ鏡筒１０１が駆動される。撮影レンズ鏡筒１０１が駆動された後、ステップＳ５５６に於いて、所定の被写体距離に合焦する配置になったかが判断される。なっていないと判断されると、ステップＳ５５５に戻り、更に撮影レンズ鏡筒１０１が駆動される。所定の被写体距離に合焦する配置になったと判断されると、ステップＳ５５７に於いて、撮影光学系を通して入射する被写体光を画像データとして取り込む。画像を取り込んだ後、ステップＳ５５８に於いて、画像表示制御部５は取り込んだ画像データを静止画として表示する。表示された後、ステップＳ５５９に於いて、ズームボタン１０８が操作され続けているかが判断される。操作されていると判断されるとステップＳ５５５に戻り、次のズームポジションに向けて撮影レンズ鏡筒１０１を駆動し、同一制御を繰り返す。ズームボタン１０８の操作が終わったと判断されると、ステップＳ５６０に於いて、静止画像の変倍を停止し、ステップＳ５６１に於いて、手ぶれ補正を停止させる。手ぶれ補正を停止させた後、ステップＳ５６２に於いて、撮影レンズ鏡筒１０１の駆動を停止する。撮影レンズ鏡筒１０１を停止させた後、ステップＳ５６３に於いて、画像表示制御部５は静止画像の表示から撮影光学系を通して入射する被写体光をリアルタイムに表示させる設定を行う。表示設定が行われた後、撮影待機状態（ＳＴＯＰ）となる。
【００８２】
（第５の実施形態）
本発明を適用した第５の実施形態のデジタル・カメラについて説明する。デジタル・カメラの構成は第１の実施形態と同一でよいから説明を省略する。
【００８３】
液晶ディスプレイ１０６に画像を表示させたまま、変倍動作を行う際に、画像表示サイズを小さく設定する。図８に液晶ディスプレイ１０６に表示される画像の概略図を示す。Ｆ１が撮影待機状態での画像表示であり、Ｆ２が変倍中の画像表示である。画像表示サイズを小さく設定することで、許容錯乱円径が大きくなり実用上ピントが合っている範囲が広がる。画像表示サイズを小さく設定すると画像表示領域に空白が生じるため、生じた空白に画像情報以外の情報、例えば焦点距離データなどを表示させる。
【００８４】
上記表示制御のフローチャートを図９に示す。ＳＴＡＲＴは液晶ディスプレイ１０６に画像を表示して撮影待機状態である。ステップＳ６００に於いて、画角指示部４であるズームボタン１０８が操作されたかが判断される。操作されていないと判断されると、そのまま撮影待機状態となる。操作されたと判断されると、ステップＳ６０１に於いて、ズームボタン１０８がＴＥＬＥ側とＷＩＤＥ側のどちら側に操作されたか検出される。変倍方向が決定された後、ステップＳ６０２に於いて、画像表示制御部５は表示されている画像の表示領域を小さく設定し、表示領域に合わせた大きさに画像を縮小する。画像が縮小された後、ステップＳ６０３に於いて、画像領域以外の画像表示可能領域に画像情報以外の情報、例えば焦点距離データなどを表示させる。表示された後、ステップＳ６０４に於いて、鏡筒制御部３は撮影レンズ鏡筒１０１を駆動する。ステップＳ６０５に於いて、ズームボタン１０８が操作され続けているかが判断される。操作されていると判断されるとステップＳ６０４に戻り、次のズームポジションに向けて撮影レンズ鏡筒１０１を駆動し、ズームボタン１０８の操作が終わったと判断されると、ステップＳ６０６に於いて、撮影レンズ鏡筒１０１の駆動を停止する。撮影レンズ鏡筒１０１を停止させた後、ステップＳ６０７に於いて、画像情報以外の情報の表示を停止し、停止した後、ステップＳ６０８に於いて、画像を画像表示可能領域全体に表示させ。画像が画像表示可能領域全体に表示された状態で撮影待機状態（ＳＴＯＰ）となる。
【００８５】
（第６の実施形態）
本発明を適用した第６の実施形態のデジタル・カメラについて説明する。デジタル・カメラの構成は第１の実施形態と同一でよいから説明を省略する。
【００８６】
液晶ディスプレイ１０６に画像を表示させたまま、変倍動作を行う際に、各ズームポジション内の撮影許可領域では画像を表示し、各ズームポジション内の撮影不可領域では画像を表示させないように制御を行う。或いは、各ズームポジション内の撮影不可領域では画像を表示させない代わりに、画像情報以外の情報、例えばズームポジション情報などを表示させる制御を行う。或いは、各ズームポジション内の撮影不可領域では直前の撮影許可領域での画像を表示させる制御を行う。
【００８７】
図１０Ａ、図１０Ｂ、図１０Ｃは液晶ディスプレイ１０６に表示される画像の概略図を示す。
【００８８】
それぞれｃｃ１は図３Ｂのｃ１位置での画像、以下同様にａａ１はａ１位置での画像、ｄｄ２−１〜ｄｄ２−３はｄ２領域での表示、ａａ２はａ２位置での画像、ｃｃ２はｃ２位置での画像、ｄｄ３−１〜ｄｄ３−３はｄ３領域での表示、ｃｃ３はｃ３位置での画像、ａａ３はａ３位置での画像である。それぞれｃ１〜ａ１、ａ２〜ｃ２、ｃ３〜ａ３の領域では撮影光学系を通して入射した被写体光を画像として液晶ディスプレイ１０６にｃｃ１〜ａａ１、ａａ２〜ｃｃ２、ｃｃ３〜ａａ３として表示させる。各ズームポジション内の撮影不可領域であるｄ２、ｄ３では画像を何も表示させなくても良い（ｄｄ２−１、ｄｄ３−１）し、ズームポジションの変更内容を表示させても良い（ｄｄ２−２、ｄｄ３−２）し、直前まで表示させていた画像を静止画として表示し続けても良い（ｄｄ２−３、ｄｄ３−３）し、直前まで表示させていた画像を静止画として変倍させながら表示させても良い（不図示）。
【００８９】
上記表示制御のフローチャートを図１１Ａ、図１１Ｂ、図１１Ｃに示す。
【００９０】
図１１Ａは各ズームポジション内の撮影不可領域で何も表示させない場合を示す。ＳＴＡＲＴは液晶ディスプレイ１０６に画像を表示して撮影待機状態である。ステップＳ７００に於いて、画角指示部４であるズームボタン１０８が操作されたかが判断される。操作されていないと判断されると、そのまま撮影待機状態となる。操作されたと判断されると、ステップＳ７０１に於いて、ズームボタン１０８がＴＥＬＥ側とＷＩＤＥ側のどちら側に操作されたか検出される。変倍方向が決定された後、ステップＳ７０２に於いて、鏡筒制御部３により撮影レンズ鏡筒１０１が駆動される。撮影レンズ鏡筒１０１が駆動されると、ステップＳ７０３に於いて、ズームポジション内の撮影許可領域かが判断される。撮影許可領域であると判断されると、ステップＳ７０４に於いて、引き続き画像が表示される。表示しつつ、ステップＳ７０５に移る。ステップＳ７０３に於いて、撮影許可領域ではないと判断されると、ステップＳ７５０に於いて、画像表示制御部５は画像表示部を非表示に切り替える。画像非表示のまま、ステップＳ７５１に於いて、撮影レンズ鏡筒１０１がズームポジション内の撮影許可領域かが判断される。撮影許可領域ではないと判断されると、画像非表示のまま鏡筒が駆動され続ける。撮影許可領域であると判断されると、ステップＳ７５２に於いて、撮影光学系を通して入射した被写体光を画像として取り込み、ステップＳ７５３に於いて、液晶ディスプレイ１０６に画像を表示しステップＳ７０５に移る。ステップＳ７０５に於いて、ズームボタン１０８が操作され続けているかが判断される。操作されていると判断されるとステップＳ７０２に戻り、次のズームポジションに向けて、撮影レンズ鏡筒１０１を駆動し、ズームボタン１０８の操作が終わったと判断されると、ステップＳ７０６に於いて、撮影レンズ鏡筒１０１の駆動を停止する。撮影レンズ鏡筒１０１を停止させた後、画像表示のまま撮影待機状態（ＳＴＯＰ）となる。
【００９１】
図１１Ｂは各ズームポジション内の撮影不可領域で画像情報以外の情報を表示させるものである。ステップＳ７００からステップＳ７０６は図１１Ａと同一であるため説明を省略する。ステップＳ７０３に於いて、撮影許可領域ではないと判断されると、ステップＳ８００に於いて、画像表示制御部５は液晶ディスプレイ１０６に画像情報以外の情報、例えばズームポジションの変更内容を表示させる。情報を表示させた後、ステップＳ８０１に於いて、撮影レンズ鏡筒１０１がズームポジション内の撮影許可領域かが判断される。撮影許可領域ではないと判断されると、情報表示のまま撮影レンズ鏡筒１０１が駆動され続ける。撮影許可領域であると判断されると、ステップＳ８０２に於いて、撮影光学系を通して入射した被写体光を画像として取り込み、ステップＳ８０３に於いて、液晶ディスプレイ１０６に画像を表示しステップＳ７０５に移る。ステップＳ７０５以下は図１１Ａと同一であるので説明を省略する。
【００９２】
図１１Ｃは各ズームポジション内の撮影不可領域で直前の撮影許可領域での画像を表示させるものである。ステップＳ７００からステップＳ７０６は図１１Ａと同一であるため説明を省略する。ステップＳ７０３に於いて、撮影許可領域ではないと判断されると、ステップＳ９００に於いて、画像表示制御部５は直前の撮影許可領域での画像を保持する。保持した後、ステップＳ９０１に於いて、保持した画像を液晶ディスプレイ１０６に表示する。表示しつつステップＳ９０２に於いて、保持している画像を変倍させつつ表示させる。変倍表示させつつ、ステップ９０３に於いて、撮影レンズ鏡筒１０１がズームポジション内の撮影許可領域かが判断される。撮影許可領域ではないと判断されると、変倍表示させつつ撮影レンズ鏡筒１０１が駆動され続ける。撮影許可領域であると判断されると、ステップＳ９０４に於いて、撮影光学系を通して入射した被写体光を画像として取り込み、ステップＳ９０５に於いて、液晶ディスプレイ１０６に画像を表示しステップＳ７０５に移る。ステップＳ７０５以下は図１１Ａと同一であるので説明を省略する。尚、保持した画像を変倍させつつ表示させるとしたが、変倍させずに表示させ続けても良い。変倍させずに表示させ続ける場合には、ステップＳ９０２が省略される。
【００９３】
（第７の実施形態）
本発明を適用した第７の実施形態のデジタル・カメラについて説明する。デジタル・カメラの構成は第１の実施形態と同一でよいから説明を省略する。
【００９４】
液晶ディスプレイ１０６に画像を表示させたまま、変倍動作を行う際に、画像表示解像度を低く設定する。画像表示解像度を低く設定することで、液晶ディスプレイ１０６上でのピント変化を小さくすることが出来る。
【００９５】
上記表示制御のフローチャートを図１２に示す。ＳＴＡＲＴは液晶ディスプレイ１０６に画像を表示して撮影待機状態である。ステップＳ１０に於いて、画角指示部４であるズームボタン１０８が操作されたかが判断される。操作されていないと判断されると、そのまま撮影待機状態となる。操作されたと判断されると、ステップＳ１１に於いて、ズームボタン１０８がＴＥＬＥ側とＷＩＤＥ側のどちら側に操作されたか検出される。変倍方向が決定された後、ステップＳ１２に於いて、画像表示制御部５は表示解像度を低く設定する。表示解像度が下げられた後、ステップＳ１３に於いて、鏡筒制御部３は撮影レンズ鏡筒１０１を駆動する。ステップＳ１４に於いて、ズームボタン１０８が操作され続けているかが判断される。操作されていると判断されるとステップＳ１３に戻り、次のズームポジションに向けて撮影レンズ鏡筒１０１を駆動し、ズームボタン１０８の操作が終わったと判断されると、ステップＳ１５に於いて、撮影レンズ鏡筒１０１の駆動を停止する。撮影レンズ鏡筒１０１を停止させた後、ステップＳ１６に於いて、表示解像度を元の状態に戻し、表示解像度を戻した後、撮影待機状態（ＳＴＯＰ）となる。
【００９６】
【他の実施形態】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９８】
本発明を上記記憶媒体に適用する場合、その記憶媒体には、先に説明したフローチャートに対応するプログラムコードが格納されることになる。
【００９９】
以上のように、上記の第１及び第２の実施形態によれば、画像の表示非表示によって鏡筒の停止位置を変えることで、ステップズームに於いても快適な操作感が得られる。
【０１００】
また、第３及び第４の実施形態によれば、略パンフォーカスの画像を常に表示できるため快適に画角決定が行える。
【０１０１】
また、第５の実施形態によれば、画像表示サイズを小さくすることでピンぼけ状態を緩和することが可能となり、且つ画像情報以外の情報も得られるため快適に画角決定が行える。
【０１０２】
また、第６の実施形態によれば、ピンぼけ領域をピントの合っている画像で置き換えるために、快適に画角決定が行える。
【０１０３】
また、第７の実施形態によれば、表示解像度を変倍中は低く設定することでピント変化を目立たなくでき、快適な画角決定が行える。
【０１０４】
【発明の効果】
以上説明したように、本発明によれば、撮像装置においてステップズームを用いた場合においても、違和感のない画像表示をすることが可能となる。
【図面の簡単な説明】
【図１Ａ】本発明を適用した第１の実施形態のデジタルカメラの前側斜視図である。
【図１Ｂ】本発明を適用した第１の実施形態のデジタルカメラの後側斜視図である。
【図２】本発明を適用した第１の実施形態のデジタルカメラのブロック図である。
【図３Ａ】デジタル・カメラのレンズ群軌跡を示す図である。
【図３Ｂ】デジタル・カメラのレンズ群軌跡の拡大図である。
【図４】第１の実施形態のデジタル・カメラの動作を示すフローチャートである。
【図５Ａ】第２の実施形態のデジタル・カメラの動作を示すフローチャートである。
【図５Ｂ】第２の実施形態のデジタル・カメラの動作を示すフローチャートである。
【図６】第３の実施形態における画像表示状態の概略図である。
【図７Ａ】第３の実施形態のデジタル・カメラの動作を示すフローチャートである。
【図７Ｂ】第４の実施形態のデジタル・カメラの動作を示すフローチャートである。
【図８】第５の実施形態における画像表示状態の概略図である。
【図９】第５の実施形態のデジタル・カメラの動作を示すフローチャートである。
【図１０Ａ】第６の実施形態における画像表示状態の概略図である。
【図１０Ｂ】第６の実施形態における画像表示状態の概略図である。
【図１０Ｃ】第６の実施形態における画像表示状態の概略図である。
【図１１Ａ】第６の実施形態のデジタル・カメラの動作を示すフローチャートである。
【図１１Ｂ】第６の実施形態のデジタル・カメラの動作を示すフローチャートである。
【図１１Ｃ】第６の実施形態のデジタル・カメラの動作を示すフローチャートである。
【図１２】第７の実施形態のデジタル・カメラの動作を示すフローチャートである。
【符号の説明】
１００　カメラ本体
１０１　撮影レンズ鏡筒
１０２　ファインダー対物レンズ
１０３　レリーズボタン
１０４　フラッシュ
１０５　メイン電源スイッチ
１０６　液晶ディスプレイ
１０７　ファインダー接眼レンズ
１０８　ズームボタン
１０９ａ　画像表示切り替えボタン
１０９ｂ　デートボタン
１０９ｃ　モードボタン
【図１Ａ】
2004012618.tif 000003
【図１Ｂ】
2004012618.tif 000004
【図２】
2004012618.tif 000005
【図３Ａ】
2004012618.tif 000006
【図３Ｂ】
2004012618.tif 000007
【図４】
2004012618.tif 000008
【図５Ａ】
2004012618.tif 000009
【図５Ｂ】
2004012618.tif 000010
【図６】
2004012618.tif 000011
【図７Ａ】
2004012618.tif 000012
【図７Ｂ】
2004012618.tif 000013
【図８】
2004012618.tif 000014
【図９】
2004012618.tif 000015
【図１０Ａ】
2004012618.tif 000016
【図１０Ｂ】
2004012618.tif 000017
【図１０Ｃ】
2004012618.tif 000018
【図１１Ａ】
2004012618.tif 000019
【図１１Ｂ】
2004012618.tif 000020
【図１１Ｃ】
2004012618.tif 000021
【図１２】
2004012618.tif 000022